(57)【特許請求の範囲】
【請求項１】
それぞれ上下に重合した長手方向両端の締着片のネジ杆受入孔に，ベースプレートに起立した一対のネジ杆を受入れて該ネジ杆に螺装した各上下一対のナットで締着することによって上下に対向配置した湾曲バンドを該ネジ杆の任意高さ位置に固定自在としたレベルバンドであって，対向配置した一方又は双方の湾曲バンドにおける少なくとも長手方向一端の締着片のネジ杆受入孔を湾曲バンド短手方向外方に開口して該湾曲バンドの回動によってネジ杆を受入自在とした面外連通溝とし且つ該長手方向一端の締着片と上位のナット間に落し込み装着してその回動防止下で該上位のナットを締着することによってその該長手方向一端で上下に重合した締着片を被嵌後付固定する後付固定金具を備えてなり，該後付固定金具を上記湾曲バンド長手方向又は短手方向外方に開口してネジ杆をその交差方向に受入自在としたネジ杆受入用の受入溝及び湾曲バンド短手方向両端に締着片肉厚の２倍以上の高さ幅を有して上記重合した締着片の短手方向両端部を被覆する対向折曲片を具備してなることを特徴とする後付固定金具を備えてなることを特徴とする配管パイプ支持用のレベルバンド。
【請求項２】
上記ベースプレートに起立した一対のネジ杆に代えて，該ネジ杆をベースプレートに起立した複数対とし，湾曲バンドをその各一対のネジ杆に対して固定自在としてなることを特徴とする請求項１に記載の配管パイプ支持用のレベルバンド。
【請求項３】
上記ネジ杆受入孔を面外連通溝とした長手方向一端の締着片を有する湾曲バンドを，上記対向配置した上位一方の湾曲バンドとしてなることを特徴とする請求項１又は２に記載の配管パイプ支持用のレベルバンド。
【請求項４】
上記ネジ杆受入孔を面外連通溝とした長手方向一端の締着片を，対向配置した一方の湾曲バンドに配置するとともにその長手方向他端の締着片及び対向配置した他方の湾曲バンドの長手方向両端の締着片の各ネジ杆受入孔をそれぞれ円形透孔又は長手方向に長孔の面内透孔としてなることを特徴とする請求項１，２又は３に記載の配管パイプ支持用のレベルバンド。
【請求項５】
上記後付固定金具におけるネジ杆受入用の受入溝を，そのナット締着状態で上記長手方向一端の締着片における面外連通溝と平行又はこれに交差する方向に向けて平面直線状に配置してなることを特徴とする請求項１，２，３又は４に記載の配管パイプ支持用のレベルバンド。
【請求項６】
上記後付固定金具におけるネジ杆受入用の受入溝を，そのナット締着状態で上記長手方向一端の締着片における面外連通溝と平行又はこれに交差する直交方向に向けて平面Ｌ字状，へ字状乃至Ｓ字状に配置してなることを特徴とする請求項１，２，３又は４に記載の配管パイプ支持用のレベルバンド。
【発明の詳細な説明】
【技術分野】
【０００１】
本発明は，マンション等の建物におけるコンクリートスラブに排水管等の配管パイプを所定高さに支持するに用いる配管パイプ支持用のレベルバンドに関する。
【背景技術】
【０００２】
レベルバンドは，それぞれ上下に重合した長手方向両端の締着片のネジ杆受入孔にベースプレートに起立した一対のネジ杆を受入れて該ネジ杆に螺装した各上下一対のナットで締着することによって上下に対向配置した湾曲バンドを該ネジ杆任意高さ位置に固定自在としたものとされ，このとき各締着片のネジ杆受入孔は円形孔乃至長手方向に長孔の面内透孔とされる。このレベルバンドによる配管パイプの支持は，該レベルバンドが，一般にその部材を予め工場でセットして，湾曲バンドを上下に対向配置した状態で出荷され，現場において配管パイプを支持するように用いるものとされるから，例えば，上下一対の上位のナット及び上位の湾曲バンドをネジ杆から取外し，下位のナットとこれに下支えした下位の湾曲バンドを該配管パイプの勾配と高さ位置に合せて調整して，下位の湾曲バンドに配管パイプを載置し，その後に取外した上位の湾曲バンドの締着片のネジ杆受入孔に一対のネジ杆を受入れて上位の湾曲バンドを再装着するとともに上位のナットを該一対のネジ杆に螺装することによって各重合した締着片のナット締着を行なうものとされるところ，ネジ杆は一般に１０〜２０ｃｍ程度の高さのものとされるから，上位の湾曲バンドの取外しやその再装着のための煩雑なナットの取外しを回避して，配管パイプの支持を簡易になし得るように，本発明者は，上記対向配置のうちの上位の湾曲バンドを長手方向に分割し，その自由端に相互に差込係止自在の係止部を配置したものを提案済みであり，この場合，上位のナットを幾分緩めることによって分割した上位の湾曲バンドを回動することによって下位の湾曲バンド上方を開放して，配管パイプを載置し，該湾曲バンドを閉鎖するように回動して係止部を差込係止することができるから，従来のレベルバンドに比してその配管作業を効率化することが可能となる。
【０００３】
【特許文献１】特開平１０−１６００４８号公報
【発明の開示】
【発明が解決しようとする課題】
【０００４】
しかし乍ら，この場合，湾曲バンドを上下位で異なるそれぞれに専用の２種類とすることが必要となるとともに上位の湾曲バンドを長手方向に分割してその各自由端に相互に差込係止自在の異なる形態の係止部を配置することによって，該上位の湾曲バンドの製造が煩雑化し且つ全体として生産コストがアップする傾向を招き易い。
【０００５】
本発明は係る事情に鑑みてなされたもので，その解決課題とするところは，可及的簡易な構造にしてナットや湾曲バンドを取外すことなく，配管パイプを容易に支持し得るようにした配管パイプ支持用のレベルバンドを提供するにある。
【課題を解決するための手段】
【０００６】
上記課題に沿って鋭意検討した結果，湾曲バンドを，その長手方向両端の片側一方の締着片をネジ杆に支持した状態として，水平乃至上下に傾斜して回動することによって該片側他方の締着片にネジ杆を受入自在とするとともに固定金具を用いて該固定金具を該締着片とナット間に介装することによって該ネジ杆を受入れた締着片の回動を防止した状態として，対向配置した湾曲バンドの重合した締着片と一体的に締着固定するようにすれば，ナットや湾曲バンドを取外すことなく，配管パイプの確実な支持をなし得ること，このとき固定金具を，上記重合した締着片の短手方向両端を対向折曲片によって被嵌するとともに起立したネジ杆を側方から受入れるように交差方向受入自在とする受入溝を具備したものとすれば，配管パイプの配置後に，緩めたナットと締着片との間の幾分のネジ杆露出部分に固定金具を挿入するように，該固定金具を後付すれば，上記一体的な締着固定を容易になし得ることに着目して，本発明をなすに至ったものであって，即ち請求項１に記載の発明を，それぞれ上下に重合した長手方向両端の締着片のネジ杆受入孔に，ベースプレートに起立した一対のネジ杆を受入れて該ネジ杆に螺装した各上下一対のナットで締着することによって上下に対向配置した湾曲バンドを該ネジ杆の任意高さ位置に固定自在としたレベルバンドであって，対向配置した一方又は双方の湾曲バンドにおける少なくとも長手方向一端の締着片のネジ杆受入孔を湾曲バンド短手方向外方に開口して該湾曲バンドの回動によってネジ杆を受入自在とした面外連通溝とし且つ該長手方向一端の締着片と上位のナット間に落し込み装着してその回動防止下で該上位のナットを締着することによってその該長手方向一端で上下に重合した締着片を被嵌後付固定する後付固定金具を備えてなり，該後付固定金具を上記湾曲バンド長手方向又は短手方向外方に開口してネジ杆をその交差方向に受入自在としたネジ杆受入用の受入溝及び湾曲バンド短手方向両端に締着片肉厚の２倍以上の高さ幅を有して上記重合した締着片の短手方向両端部を被覆する対向折曲片を具備してなることを特徴とする後付固定金具を備えてなることを特徴とする配管パイプ支持用のレベルバンドとしたものである。
【０００７】
請求項２に記載の発明は，上記に加えて，複数対のネジ杆を有して，その各一対のネジ杆に上記湾曲バンドを固定する他の形態のレベルバンドに適用し得るものとするように，これを，上記ベースプレートに起立した一対のネジ杆に代えて，該ネジ杆をベースプレートに起立した複数対とし，湾曲バンドをその各一対のネジ杆に対して固定自在としてなることを特徴とする請求項１に記載の配管パイプ支持用のレベルバンドとしたものである。
【０００８】
請求項３に記載の発明は，同じく上記に加えて，上記回動する湾曲バンドを，上下に対向配置した上位一方の湾曲バンドとして，配管パイプ支持の作業性をより向上し得るように，これを，上記ネジ杆受入孔を面外連通溝とした長手方向一端の締着片を有する湾曲バンドを，上記対向配置した上位一方の湾曲バンドとしてなることを特徴とする請求項１又は２に記載の配管パイプ支持用のレベルバンドとしたものである。
【０００９】
請求項４に記載の発明は，同じく上記に加えて，上記湾曲バンドの回動を締着片のネジ杆への軸支状態乃至遊嵌状の軸支状態によってより安定して確実になし得るものとするように，これを，上記ネジ杆受入孔を面外連通溝とした長手方向一端の締着片を，対向配置した一方の湾曲バンドに配置するとともにその長手方向他端の締着片及び対向配置した他方の湾曲バンドの長手方向両端の締着片の各ネジ杆受入孔をそれぞれ円形透孔又は長手方向に長孔の面内透孔としてなることを特徴とする請求項１，２又は３に記載の配管パイプ支持用のレベルバンドとしたものである。
【００１０】
請求項５に記載の発明は，同じく上記に加えて，上記後付固定金具におけるネジ杆受入用の受入溝を，上記締着片の面外連通溝と平行又はこれに交差する方向に向けた平面直線状として，該受入溝を可及的簡易な形状にしてワンタッチでネジ杆の確実な受入れをなし得るものとするように，これを，上記後付固定金具におけるネジ杆受入用の受入溝を，そのナット締着状態で上記長手方向一端の締着片における面外連通溝と平行又はこれに交差する方向に向けて平面直線状に配置してなることを特徴とする請求項１，２，３又は４に記載の配管パイプ支持用のレベルバンドとしたものである。
【００１１】
請求項６に記載の発明は，同じく上記に加えて，上記後付固定金具におけるネジ杆受入用の受入溝を，必要に応じて上記平面直線状以外の他の形態のものとし得るように，これを，上記後付固定金具におけるネジ杆受入用の受入溝を，そのナット締着状態で上記長手方向一端の締着片における面外連通溝と平行又はこれに交差する方向に向けて平面Ｌ字状，へ字状乃至Ｓ字状に配置してなることを特徴とする請求項１，２，３又は４に記載の配管パイプ支持用のレベルバンドとしたものである。
【００１２】
本発明はこれらをそれぞれ発明の要旨として上記課題解決の手段としたものである。
【発明の効果】
【００１３】
本発明は以上のとおりに構成したから，請求項１に記載の発明は，湾曲バンドを，その長手方向両端の片側一方の締着片をネジ杆に支持した状態として，水平乃至上下に傾斜して回動することによって該片側他方の締着片にネジ杆を受入自在とするとともに固定金具を用いて該固定金具を該締着片とナット間に介装することによって該ネジ杆を受入れた締着片の回動を防止した状態として，対向配置した湾曲バンドの重合した締着片と一体的に締着固定するようにして，ナットや湾曲バンドを取外すことなく，配管パイプの確実な支持を行なうとともに，該固定金具を，上記重合した締着片の短手方向両端を対向折曲片によって被嵌するとともに起立したネジ杆を側方から受入れるように交差方向受入自在とする受入溝を具備したものとして，配管パイプの配置後に，緩めたナットと締着片との間の幾分のネジ杆露出部分に固定金具を挿入するように，該固定金具を後付して上記一体的な締着固定を行うものとすることによって，可及的簡易な構造にしてナットや湾曲バンドを取外すことなく，配管パイプを容易に支持し得るようにした配管パイプ支持用のレベルバンドを提供することができる。
【００１４】
請求項２に記載の発明は，上記に加えて，複数対のネジ杆を有して，その各一対のネジ杆に上記湾曲バンドを固定する他の形態のレベルバンドに適用することができる。
【００１５】
請求項３に記載の発明は，同じく上記に加えて，上記回動する湾曲バンドを，上下に対向配置した上位一方の湾曲バンドとして，配管パイプ支持の作業性をより向上することができる。
【００１６】
請求項４に記載の発明は，同じく上記に加えて，上記湾曲バンドの回動を締着片のネジ杆への軸支状態乃至遊嵌状の軸支状態によってより安定して確実になし得るものとすることができる。
【００１７】
請求項５に記載の発明は，同じく上記に加えて，上記後付固定金具におけるネジ杆受入用の受入溝を，上記締着片の面外連通溝と平行又はこれに交差する方向に向けた平面直線状として，該受入溝を可及的簡易な形状にしてワンタッチでネジ杆の確実な受入れをなし得るものとすることができる。
【００１８】
請求項６に記載の発明は，同じく上記に加えて，上記後付固定金具におけるネジ杆受入用の受入溝を，必要に応じて上記平面直線状以外の他の形態のものとすることができる。
【発明を実施するための最良の形態】
【００１９】
以下図面の例に従って本発明を更に具体的に説明すれば，Ａは，配管パイプＢ支持用のレベルバンドであり，該レベルバンドＡは，それぞれ上下に重合した長手方向両端の締着片２２のネジ杆受入孔２３に，ベースプレート１に起立した一対のネジ杆１２を受入れて該ネジ杆１２に螺装した各上下一対のナット４で締着することによって上下に対向配置した湾曲バンド２を該ネジ杆１２の任意高さ位置に固定自在としてあり，このとき該レベルバンドＡは，対向配置した一方又は双方の湾曲バンド２における少なくとも長手方向一端の締着片２２のネジ杆受入孔２３を湾曲バンド短手方向外方に開口して該湾曲バンド２の回動によってネジ杆１２を受入自在とした面外連通溝２３ｂとし且つ該長手方向一端の締着片２２と上位のナット間に落し込み装着してその回動防止下で該上位のナット４を締着することによってその該長手方向一端で上下に重合した締着片２２を被嵌後付固定する後付固定金具３を備えたものとしてあり，このとき後付固定金具３は，これを上記湾曲バンド長手方向又は短手方向外方に開口してネジ杆をその交差方向に受入自在としたネジ杆受入用の受入溝３３及び湾曲バンド短手方向両端に締着片肉厚の２倍以上の高さ幅を有して上記重合した締着片２２の短手方向両端部を被覆する対向折曲片３２を具備したものとしてある。
【００２０】
即ち，本例のレベルバンドＡは，ベースプレート１と，該ベースプレート１に起立配置した一対のネジ杆１２と，上下に対向配置して配管パイプＢの外周を上下で挟持するそれぞれ円弧バンド２１，例えば１／４乃至１／２円の円弧をなす円弧バンド及び該円弧バンド２１の両端にネジ杆受入孔２３を有する各締着片２２を具備した一対の湾曲バンド２と，ネジ杆１２に挿通した締着片２２をそれぞれ重合してネジ杆１２に締着することによって該一対の湾曲バンド２をネジ杆１２の任意高さ位置に固定する各ネジ杆１２に螺装した上下に一対のナット４とを備えたものとしてある。本例にあってベースプレート１は，平面矩形にして，その長手方向両端に，コンクリートスラブに対して該ベースプレート１をアンカー金具１５で固定する２ヶ所のアンカー固定用の透孔１１を備えたものとし，上記ネジ杆１２は，該ベースプレート１に，例えばカシメ固定，溶着固定等の固定手段によって一体化して上記透孔の内側に配置した一対の厚肉ナット１３に螺装し，本例にあっては更に薄板状の薄肉ナット１４によって固定して，該ベースプレート１に垂直に起立した全ネジボルトによるものとし，湾曲バンド２は，中央位置の円弧バンド２１とその長手方向両端に水平をなすように突出した，例えば円弧バンド２１と同幅の締着片２２を備えてプレス成型によって形成したものとし，またナット４は，ネジ杆１２の雄ネジ径に合せた雌ネジを有する六角ナットによるものとしてある。このときレベルバンドＡは，そのベースプレート１，ネジ杆１２，湾曲バンド２，ナット４の寸法を変化した複数種として，配管パイプＢの外径に応じた支持をなし得るようにしてあり，本例にあってベースプレート１は，例えば１５〜２２ｃｍ程度の長さにして２．５〜４ｃｍ程度の幅，ネジ杆１２は，例えば１０〜２０ｃｍ程度の高さにして１〜２ｃｍ程度の太さ，湾曲バンド２の円弧バンド２１は，５〜１５ｃｍ程度の複数の配管パイプＢの外周を被嵌し又は外周に内接する円弧状にして２．５〜４ｃｍ程度の幅，その締着片２２は，該円弧バンド２１と同幅にして４ｃｍ程度の長さとし，またナット４は，上記ネジ杆１２の太さに応じた雌ネジを有するものとして，それぞれ配管パイプＢの外径に合せて使用する複数種のものとしてある。
【００２１】
対向配置した湾曲バンド２は，その長手方向両端の各締着片２２に上記ネジ杆受入孔２３を配置してあり，本例にあって上記ネジ杆受入孔２３を面外連通溝２３ｂとした長手方向一端の締着片２２を，対向配置した一方の湾曲バンド２に配置するとともにその長手方向他端の締着片２２及び対向配置した他方の湾曲バンド２の長手方向両端の締着片２２の各ネジ杆受入孔２３をそれぞれ円形透孔又は長手方向に長孔，本例にあっては該長孔の面内透孔２３ａとしてあり，このとき上記ネジ杆受入孔２３を面外連通溝２３ｂとした長手方向一端の締着片２２を有する湾曲バンド２を，上記対向配置した上位一方の湾曲バンド２ａとしてある。
【００２２】
本例にあって上記面外連通溝２３ｂは，上記長孔の面内透孔２３ａを締着片２２の湾曲バンド短手方向，即ち締着片の突出方向と交差してその前後片側の側端に開口するようにこれを形成したものとしてあり，このとき面外連通溝２３ｂは，例えば平面Ｕ字状乃至これに似た異形のものとしてある。即ち本例にあってレベルバンドＡは，その対向配置下位の湾曲バンド２ｂにおける双方の締着片２２のネジ杆受入孔２３を長孔の面内透孔２３ａとし，対向配置上位の湾曲バンド２ａにおける一方の締着片２２を同じく長孔の面内透孔２３ａ，他方の締着片２２を上記面外連通溝２３ｂとした上下に２種類のものとしてある。
【００２３】
このとき本例にあって該面外連通溝２３ｂは，上記長孔の面内透孔２３ａを配置した湾曲バンド２を基準として，例えばこれに上記連通のための開口を形成するように追加的な切欠きのプレス加工を施して形成してあり，これによって，例えば配管パイプＢの径に応じた湾曲バンド毎に新たな湾曲バンドを追加することによるコストアップを回避したものとしてあり，また面外連通溝２３ｂの開口は，図２に示すように，側端幅広にして内側幅広として上記面内透孔に至る上記異形のものとすることによって，後述の湾曲バンド２の回動に際して，該面外連通孔２３ｂのネジ杆１２受入を簡易且つ確実になし得るようにしてある。
【００２４】
後付固定金具３は，平面矩形の基板３１と，該基板３１の両端に折曲配置した対向折曲片３２と，該基板３１に配置したネジ杆受入用の受入溝３３とを備えた，対向折曲片３２位置において断面コ字状をなす厚肉ピース状の成形部品としてあり，本例にあって該後付固定金具３は，その基板３１を上記湾曲バンド２の幅より幾分大きめとした前後奥行幅と，締着片２２の突出方向先端からそのネジ杆受入孔２３を覆う程度の横幅を有する平面矩形とし，対向折曲片３２を，湾曲バンド２の短手方向，即ち締着片２２の突出方向に交差する前後両端にそれぞれ垂下し，またネジ杆受入用の受入溝３３を，そのナット４の締着状態で上記長手方向一端の締着片２２における面外連通溝２３ｂと平行又はこれに交差する方向，本例にあっては平行にして面外連通溝２３と逆向きの方向に向けて平面直線状に配置したものとしてあり，これによって本例の受入溝３３は，上記基板の面内中間位置から対向折曲片３２の一方に至って該一方の折曲片３２を同時に切り欠くようにこれを配置してある。このとき該後付固定金具３の上記基板３１は，これを，例えば２．５〜４ｃｍ程度の前後幅，締着片２２の突出方向先端から２〜３ｃｍ程度の横幅を有するものとし，両端の対向折曲片３２は，上記湾曲バンド２における締着片２２の，例えば２ｍｍの肉厚に対してその２倍以上の高さにして，相当程度の余裕を持った，例えば１ｃｍ程度の同一高さのものとしてあり，またネジ杆受入用の受入溝３３は，基板３１平面の前後中間位置，即ちその中央位置にネジ杆径の１／２の幅を加えた位置から片側の対向折曲片３２に至る上記ネジ杆１２の径より幾分大きめの幅をなすようにして，上記湾曲バンド２の締着片２２の幅及びネジ杆１２の太さに合せて使用する同じく複数種のものとしてある。
【００２５】
このように形成したレベルバンドＡは，本例にあって配管パイプＢの径に合せて，上記複数種から選定したベースプレート１，ネジ杆１２，湾曲バンド２，ナット４及び後付固定金具３の各部材を工場でセットし，湾曲バンド２を上下に対向配置した状態で出荷して，現場において配管パイプＢを支持するように用いるようにしてある。即ち，該レベルバンドＡによる配管パイプＢの支持は，レベルバンドＡの一方のネジ杆１２における上位のナット４を幾分緩めて後付固定金具３をネジ杆１２から水平方向乃至上向きの傾斜方向に引き抜くように取外して，上位の湾曲バンド２の長手方向他端における締着片２２の面内透孔２３ａに受入れたネジ杆１２を支軸とするように該上位の湾曲バンド２を水平方向に，例えば１／４円程度回動して，その長手方向一端の締着片２２を，その面外連通溝２３ｂに受入れたネジ杆１２から外して，下位の湾曲バンド２の円弧バンド２１上方を開放する。そして下位のナット４と下位の湾曲バンド２ｂを該配管パイプＢの勾配と高さ位置に合せて調整するようにそのレベル合せを行った後，該下位の湾曲バンド２ｂの円弧バンド２１上に配管パイプＢを載置する。その後に，上位の湾曲バンド２ａを逆方向に配管パイプＢを跨ぐように，例えば上向きに傾斜して同じく上記ネジ杆１２を支軸として１／４円程度再度回動し，その面外連通溝２３ｂにネジ杆１２を受入れた後，後付固定金具３を，そのネジ杆受入用の受入溝３３を起立したネジ杆１２の側方に向けた状態として，緩めたナット４と該長手方向一端の締着片２２の間のネジ杆１２露出部分に挿入して落し込むように後付け装着し，該後付固定金具３で締着片２２を被嵌して，その対向折曲片３２で，該締着片２２と下位の湾曲バンド２ｂの締着片２２の短手方向両端部を同時に被覆し，その後に各ネジ杆１２の上位のナット４を締着すればよい。このとき本例の上記ネジ杆受入用の受入溝３３を有する後付固定金具３は，該受入溝３３の向きを，図示するように締着片２２の面外連通孔２３ｂと逆向きとするように配置するのが好ましく，このように配置すれば，上位のナット４の位置によって生じることある該ナット４の締着前に締着片２２が外れて作業性が損なわれる可能性を防止することができる。これによってレベルバンドＡによる配管パイプＢの支持は，上位のナット４や上位の湾曲バンド２ａを取外すことなく，ナット４の緩めと上位の湾曲バンド２ａの回動による，例えば指先の動作によって，これを簡易且つ確実に行うことができる。因みに実際の作業に際しては，予めレベルバンドＡの中心を墨出した上，コンクリートスラブにこれを配置して，上記後付固定金具３の取外し，湾曲バンド２ａの回動，配管パイプＢの仮置き配置，湾曲バンド２ａの復帰と後付固定金具３の再装着，ナット４の締着を行なった後に，ベースプレート１をコンクリートスラブへアンカー金具１５で固定して，その配管作業を完了するようにすればよい。
【００２６】
図示した例は以上のとおりとしたが，上記ベースプレートに起立した一対のネジ杆に代えて，該ネジ杆をベースプレートに起立した複数対とし，湾曲バンドをその各一対のネジ杆に対して固定自在としたレベルバンドとすること，この場合を含めて，ネジ杆受入孔を面外連通溝とした締着片を，湾曲バンド長手方向両端の締着片に，例えば開口を逆向きとするように配置すること，該面外連通溝とした締着片を，対向配置双方の湾曲バンドに配置することによって対向配置双方の湾曲バンドを共通化すること，上記後付固定金具のネジ杆受入用の受入溝を，そのナット締着状態で上記長手方向一端の締着片における面外連通溝と同じ方向とし，またこれに交差する平面直線状に配置することによって，該ネジ杆受入用の受入溝を，湾曲バンドの長手方向外方に開口したものとして，該後付固定金具を湾曲バンドの長手方向端部から締着片を被嵌するように装着するようにすること，該後付固定金具のネジ杆受入用の受入溝を，そのナット締着状態で上記長手方向一端の締着片における面外連通溝と平行又はこれに交差する方向に向けて平面Ｌ字状，へ字状乃至Ｓ字状に配置することによって，ネジ棒の受入を屈曲するように行なうようにすること等を含めて，本発明の実施に当って，レベルバンド，そのベースプレート，ネジ杆，ナット，湾曲バンド，ネジ杆受入孔乃至面外連通溝，後付固定金具，そのネジ杆受入用の受入溝，対向折曲片等の各具体的形状，構造，材質，寸法，これらの関係，これらに対する付加，レベルバンドによる配管パイプの支持方法等は，上記発明の要旨に反しない限り様々な形態のものとすることができる。
【図面の簡単な説明】
【００２７】
【図１】レベルバンドの使用状態を示す斜視図である。
【図２】レベルバンドの分解斜視図である。
【図３】後付固定金具の装着方法を示す部分拡大斜視図である。
【図４】後付固定金具の装着状態を示す部分拡大斜視図である。
【符号の説明】
【００２８】
Ａ  レベルバンド
Ｂ  配管パイプ
１  ベースプレート
１１  透孔
１２  ネジ杆
１３  厚肉ナット
１４  薄肉ナット
１５  アンカー金具
２  湾曲バンド
２ａ  上位湾曲バンド
２ｂ  下位湾曲バンド
２１  円弧バンド
２２  締着片
２３  ネジ杆受入孔
２３ａ  面内透孔
２３ｂ  面外連通溝
３  後付固定金具
３１  基板
３２  対向折曲片
３３  受入溝
４  ナット
【図１】
0005134433.tif 000002
【図２】
0005134433.tif 000003
【図３】
0005134433.tif 000004
【図４】
0005134433.tif 000005